(57)【要約】【課題】排出される比較的大きなサイズの被噴射媒体であっても安定して積載することができる媒体スタッカ及びその媒体スタッカを備えた液体噴射装置と記録装置を提供することにある。【解決手段】液体噴射装置本体内に収納可能であり、排出される被噴射媒体を積載する媒体スタッカ１５２のスタッカ両側部に、当該媒体スタッカの移動を案内するガイド手段２１と、当該ガイド手段に追従して回転するガイドギア２２とを設ける。そして、収納時は斜め下方に移動して液体噴射部２００及び排出部１５０の下方に位置し、引出時は斜め上方に移動して排出口１５１に近接して位置するようにした。これにより、液体噴射部及び排出部の下方に広いスペースを確保することができるので、多段構造の媒体スタッカとしなくても、比較的大きなサイズの被噴射媒体に見合ったサイズの媒体スタッカとすることができ、その被噴射媒体を安定して積載することができる。【選択図】図６
2007161481.tif 000002
【特許請求の範囲】
【請求項１】
液体噴射装置本体内に収納可能であり、排出される被噴射媒体を積載する媒体スタッカであって、
収納時は斜め下方に移動して液体噴射部及び排出部の下方に位置し、引出時は斜め上方に移動して排出口に近接して位置するように構成され、
前記媒体スタッカの両側部に、当該媒体スタッカの移動を案内するガイド手段と、当該ガイド手段に追従して回転するガイドギアとを設けたことを特徴とする媒体スタッカ。
【請求項２】
前記ガイド手段は、スタッカ本体に設けられたガイドピンと、前記液体噴射装置本体に設けられ、収納・引出方向及び斜め上下方向に延びるガイド溝とを有し、前記ガイドギアは、スタッカ本体に設けられたピニオンギアと、前記液体噴射装置本体に設けられ、収納・引出方向及び斜め上下方向に延びるラックギアとを有することを特徴とする請求項１に記載の媒体スタッカ。
【請求項３】
前記ガイド手段は、２組が収納・引出方向と上下方向にずれて配設されていることを特徴とする請求項２に記載の媒体スタッカ。
【請求項４】
前記案内手段が設けられた第１のスタッカ部に対して収納・引出自在な第２のスタッカ部を備え、前記第１のスタッカ部を引き出す際には前記第２のスタッカ部が引き出されないように動作規制し、前記第２のスタッカ部を収納する際には前記第１のスタッカ部が収納されないように動作規制する動作規制手段を設けたことを特徴とする請求項１〜３の何れか一項に記載の媒体スタッカ。
【請求項５】
前記動作規制手段は、引き出された前記第１のスタッカ部の収納動作を規制する第１の動作規制部と、収納された前記第２のスタッカ部の引出動作を規制する第２の動作規制部と、引き出された前記第２のスタッカ部の収納動作を規制する第３の動作規制部とを備えたことを特徴とする請求項４に記載の媒体スタッカ。
【請求項６】
前記第１の動作規制部は、前記液体噴射装置本体に設けられた凹部と、前記第１のスタッカ部の後部側に設けられ、前記凹部に嵌め込み可能な凸部とを備え、前記第２の動作規制部は、前記第１のスタッカ部の後部側に設けられた第１の係止突起と、前記第２のスタッカ部の後部側に設けられ、前記第１の係止突起に係止可能な被係止突起とを備え、前記第３の動作規制部は、前記第１のスタッカ部の前部側に設けられ、前記被係止突起が係止可能な第２の係止突起を備えたことを特徴とする請求項５に記載の媒体スタッカ。
【請求項７】
被噴射媒体に液体を噴射する液体噴射装置であって、
請求項１〜６の何れか一項に記載の媒体スタッカを備えたことを特徴とする液体噴射装置。
【請求項８】
被記録媒体に記録する記録装置であって、
請求項７に記載の液体噴射装置を備えたことを特徴とする記録装置。
【発明の詳細な説明】
【技術分野】
【０００１】
本発明は、液体噴射装置本体内に収納可能であり、排出される被噴射媒体を積載する媒体スタッカ及びその媒体スタッカを備えた液体噴射装置と記録装置に関する。
【背景技術】
【０００２】
一般に、記録装置の１つであるインクジェット式プリンタにおいては、新規の用紙はプリンタ本体の背面側に配設されているペーパーサポートに支持されて一端がホッパにより持ち上げられ、最上位の用紙が給紙ローラにより引出されて給紙される。そして、給紙された用紙は搬送ローラにより搬送されて記録が行われ、記録済みの用紙は排紙ローラにより搬送されてプリンタ本体の前面側に配設されているスタッカ上に排紙されるようになっている（特許文献１参照）。
【０００３】
【特許文献１】特開２００３−７３００７号公報
【発明の開示】
【発明が解決しようとする課題】
【０００４】
上述したスタッカは、限られたスペースで種々のサイズの用紙を積載する必要があるため、収納・引出可能な３段以上の多段構造に形成されて配設されている。このような多段構造のスタッカの各段のスタッカ部は、段数が上位になるに従ってサポート幅が狭くなるように形成されている。このため、例えばＪＩＳ規格のＡ２サイズという比較的大きなサイズの用紙が排紙された場合、用紙先端の特に両側がスタッカからはみ出して折れ曲るおそれがある。
【０００５】
一方、プリンタ本体の底面と略平行にスライドして、プリンタ本体に対して収納・引出可能なスタッカが提案されている（特開２００４−７５２６４号公報、特開２００４−５９１７４号公報参照）。このような構成のスタッカによれば、積載面を広くすることができるので、比較的大きなサイズの用紙であっても安定的に積載することができる。ところで、このスタッカをプリンタ本体の底面と略平行にスライドさせるためには、案内手段が必要となる。
【０００６】
この案内手段は、例えばガイドピンとガイド溝により構成される。ガイドピンは、排紙スタッカの各側面に所定の間隔を空けて２本突設される。ガイド溝は、プリンタ本体内にてスタッカの両側に位置する各サイドフレームに１本設けられる。このような構成の案内手段は、各ガイドピンがガイド溝に沿って摺動してスタッカのスライドを案内する。ところが、各ガイドピンは同一のガイド溝に沿って摺動するため、一方のガイドピンに偏った力が掛かるとガイドピンとガイド溝の間で拗れが生じて操作性が悪化するおそれがある。この現象は、特に、スタッカの角度を大きく変化させずに収納位置と引出位置の間を急角度でスライドさせるときに生じ易い。
【０００７】
本発明は、上記のような種々の課題に鑑みなされたものであり、その目的は、排出される比較的大きなサイズの被噴射媒体であっても安定して積載することができ、液体噴射装置本体に対してスムーズに収納・引出可能な媒体スタッカ及びその媒体スタッカを備えた液体噴射装置と記録装置を提供することにある。
【課題を解決するための手段】
【０００８】
上記目的達成のため、本発明の媒体スタッカでは、液体噴射装置本体内に収納可能であり、排出される被噴射媒体を積載する媒体スタッカであって、収納時は斜め下方に移動して液体噴射部及び排出部の下方に位置し、引出時は斜め上方に移動して排出口に近接して位置するように構成され、前記媒体スタッカの両側部に、当該媒体スタッカの移動を案内するガイド手段と、当該ガイド手段に追従して回転するガイドギアとを設けたことを特徴としている。これにより、液体噴射部及び排出部の下方に広いスペースを確保することができるので、多段構造の媒体スタッカとしなくても、比較的大きなサイズの被噴射媒体に見合ったサイズの媒体スタッカとすることができ、その被噴射媒体を安定して積載することができ、液体噴射装置本体に対してスムーズに収納・引出可能となる。
【０００９】
また、前記ガイド手段は、スタッカ本体に設けられたガイドピンと、前記液体噴射装置本体に設けられ、収納・引出方向及び斜め上下方向に延びるガイド溝とを有し、前記ガイドギアは、スタッカ本体に設けられたピニオンギアと、前記液体噴射装置本体に設けられ、収納・引出方向及び斜め上下方向に延びるラックギアとを有することを特徴としている。これにより、媒体スタッカを案内する手段を簡易に構成することができる。また、前記ガイド手段は、２組が収納・引出方向と上下方向にずれて配設されていることを特徴としている。これにより、媒体スタッカの収納・引出をスムーズに行うことができる。
【００１０】
また、前記案内手段が設けられた第１のスタッカ部に対して収納・引出自在な第２のスタッカ部を備え、前記第１のスタッカ部を引き出す際には前記第２のスタッカ部が引き出されないように動作規制し、前記第２のスタッカ部を収納する際には前記第１のスタッカ部が収納されないように動作規制する動作規制手段を設けたことを特徴としている。これにより、第１のスタッカ部を引き出してから第２のスタッカ部を引き出すことができ、また、第２のスタッカ部を収納してから第１のスタッカ部を収納することができるので、スタッカ部間の拗れの発生を防止してスムーズに収納・引出動作を行うことができる。
【００１１】
また、前記動作規制手段は、引き出された前記第１のスタッカ部の収納動作を規制する第１の動作規制部と、収納された前記第２のスタッカ部の引出動作を規制する第２の動作規制部と、引き出された前記第２のスタッカ部の収納動作を規制する第３の動作規制部とを備えたことを特徴としている。そして、前記第１の動作規制部は、前記液体噴射装置本体に設けられた凹部と、前記第１のスタッカ部の後部側に設けられ、前記凹部に嵌め込み可能な凸部とを備え、前記第２の動作規制部は、前記第１のスタッカ部の後部側に設けられた第１の係止突起と、前記第２のスタッカ部の後部側に設けられ、前記第１の係止突起に係止可能な被係止突起とを備え、前記第３の動作規制部は、前記第１のスタッカ部の前部側に設けられ、前記被係止突起が係止可能な第２の係止突起を備えたことを特徴としている。これにより、動作規制手段を簡易に構成することができる。
【００１２】
上記目的達成のため、本発明の液体噴射装置では、被噴射媒体に液体を噴射する液体噴射装置であって、上記各媒体スタッカを備えたことを特徴としている。また、本発明の記録装置では、被記録媒体に記録する記録装置であって、上記液体噴射装置を備えたことを特徴としている。これにより、上記各作用効果を奏する液体噴射装置又は記録装置を提供することができる。
【発明を実施するための最良の形態】
【００１３】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１４】
図１及び図２は、本発明の一実施の形態に係る記録装置の１つであるインクジェット式プリンタの外観構成の全体を斜め前方及び後方から見た斜視図、図３は、その内部構成の概略を示す斜視図、図４及び図５は、その内部構成の概略を示す断面側面図である。このインクジェット式プリンタ１００は、例えばＬ判／２Ｌ判、ハガキ、ＪＩＳ規格のＡ４判、Ａ３判ノビ、Ａ２判等のサイズの単票紙（以下、単に用紙（被噴射媒体、被記録媒体）という）にインク（液体）により記録することができる機能を備えている。
【００１５】
このインクジェット式プリンタ１００は、図１及び図２に示すように、全体が略直方体状のハウジング１０１で覆われている。そして、ハウジング１０１の図１に示す上面右前側には操作部１１０が配設され、図１に示す上面左前側にはカートリッジ収納部１２０が配設されている。更に、図１に示す上面後側には第１リア給紙部１３０が配設され、図２に示す背面側には第２リア給紙部１４０が配設されている。そして、図１に示す前面側には本発明の特徴的な部分を含む排紙部（排出部）１５０とフロント給紙部１６０が配設され、図１に示す前面右側には廃インク回収部１７０が配設されている。また、このインクジェット式プリンタ１００の内部には、図３及び図４に示す用紙搬送部１８０、図２、図４及び図５に示す制御部１９０並びに図３、図４及び図５に示す記録部（液体噴射部）２００が配設されている。
【００１６】
そして、図１及び図２に示すように、ハウジング１０１の上面における操作部１１０及びカートリッジ収納部１２０と第１リア給紙部１３０との間には、矩形状の開口部１０２が形成されている。この開口部１０２は、略矩形平板状のプリンタカバー２１０によって覆われている。プリンタカバー２１０は、後端の回動軸を中心に図示矢印ａ方向に回動可能に取り付けられている。ユーザは、プリンタカバー２１０を持ち上げて開口部１０２を開放することにより、開口部１０２を通して用紙搬送部１８０や記録部２００等の内部機構のメンテナンス作業等を簡易に行うことができる。
【００１７】
操作部１１０は、図１及び図２に示すように、略矩形状の操作パネル１１１を備え、この操作パネル１１１の略中央部に操作状態等を表示する液晶パネル１１２が配設され、この液晶パネル１１２の両側にパワーをオン・オフするパワー系、用紙の頭出し等を操作したりインクのフラッシング等を操作する操作系、画像処理等を行う処理系等のボタン１１３が配設されている。ユーザは、液晶パネル１１２を見て確認しながらボタン１１３を操作することができるので、誤操作を防止することができる。
【００１８】
カートリッジ収納部１２０は、図１及び図２に示すように、印刷用の各色（本例では９色）のインクを貯留している図３、図４及び図５に示すインクカートリッジ１２１が抜き差し可能に収納されている。このカートリッジ収納部１２０は、断面がＬ字状のカートリッジカバー１２２によって覆われている。カートリッジカバー１２２は、後端の回動軸を中心に図示矢印ｂ方向に回動可能に取り付けられている。ユーザは、カートリッジカバー１２２を持ち上げてカートリッジ収納部１２０を開放することにより、インクカートリッジ１２１を簡易に交換等することができるので、作業効率を向上させることができる。
【００１９】
第１リア給紙部１３０は、自動給紙（ＡＳＦ）用であり、図１及び図２に示すように、上方に向かって矩形状に開口した第１給紙口１３１を開閉する機能と、給紙する用紙を１枚もしくは複数枚サポートする機能を併せ持った４段構造の第１ペーパーサポート１３２を備えている。この第１ペーパーサポート１３２は、後端の回動軸を中心に図示矢印ｃ方向に回動可能に取り付けられている。この第１リア給紙部１３０で給紙される用紙は、比較的薄手の用紙（例えば、厚さ０．０８ｍｍ〜０．２７ｍｍ程度の普通紙や写真用紙等）が使用される。
【００２０】
ユーザは、インクジェット式プリンタ１００の使用前においては、第１ペーパーサポート１３２の図示手前中央に設けられた穴１３２ａに指を掛けて第１ペーパーサポート１３２を持ち上げて多段部分を引き出すことによりセッティングが完了するので、着脱式のペーパーサポートの場合に必要な保管や管理等が不要となる。更に、多段構造の第１ペーパーサポート１３２であるので、種々のサイズの給紙する用紙を確実にサポートすることができる。また、インクジェット式プリンタ１００の使用後においては、第１ペーパーサポート１３２を多段部分を押し込んで閉じることにより第１給紙口１３１を塞ぐことができるので、プリンタ本体内への埃の侵入を防止することができると共に、第１ペーパーサポート１３２をコンパクトに収納しておくことができる。
【００２１】
第２リア給紙部１４０は、手差し給紙用であり、図２に示すように、後方に向かって矩形状に開口した第２給紙口１４１を開閉する機能と、給紙する用紙を１枚サポートする機能を併せ持った２段構造の第２ペーパーサポート１４２を備えている。この第２ペーパーサポート１４２は、下端の回動軸を中心に図示矢印ｄ方向に回動可能に取り付けられている。この第２リア給紙部１４０で給紙される用紙は、第１リア給紙部１３０における搬送角度で給紙できない厚さの用紙（例えば、厚さ０．２９ｍｍ〜０．４８ｍｍ程度の画材用紙や専用紙等）が使用される。更に、第１リア給紙部１３０は自動給紙（ＡＳＦ）用であることから給紙ローラ８２で用紙をピックアップするので、この給紙ローラ８２に紙粉が付着して蓄積されると、給紙ローラ８２に滑りが生じて給紙不良を引き起こすおそれがある。そのため、紙粉が発生し易い用紙（例えば、厚さ０．４８ｍｍ程度のＶｅｌｖｅｔ  Ｆｉｎｅ  Ａｒｔ  Ｐａｐｅｒや厚さ０．４６ｍｍ程度のＵｌｔｒａ  Ｓｍｏｏｔｈ  Ｆｉｎｅ  Ａｒｔ  Ｐａｐｅｒ）についても、第２リア給紙部１４０で手差し給紙させる必要がある。
【００２２】
ユーザは、インクジェット式プリンタ１００の使用前においては、第２ペーパーサポート１４２の図示上部に指を掛けて第２ペーパーサポート１４２を押し下げて多段部分を引き出すことによりセッティングが完了するので、着脱式のペーパーサポートの場合に必要な保管や管理等が不要となる。更に、多段構造の第２ペーパーサポート１４２であるので、種々のサイズの給紙する用紙を確実にサポートすることができる。また、インクジェット式プリンタ１００の使用後においては、第２ペーパーサポート１４２を多段部分を押し込んで閉じることにより第２給紙口１４１を塞ぐことができるので、プリンタ本体内への埃の侵入を防止することができると共に、第２ペーパーサポート１４２をコンパクトに収納しておくことができる。
【００２３】
排紙部１５０は、図１に示すように、前方に向かって矩形状に開口した排紙口（排出口）１５１を開閉する機能と、排紙される用紙を１枚もしくは複数枚スタックする機能を併せ持った図３、図４及び図５に示す第１スタッカ５１と第２スタッカ５２の２段構造のスタッカ（媒体スタッカ）１５２を備えている。第１スタッカ５１は、第２スタッカ５２の先端側で回動軸を中心に図１に示す矢印ｅ方向に回動可能に取り付けられている。第２スタッカ５２は、排紙口１５１に対して斜め上下に平行移動して収納・引出可能なように取り付けられている。尚、本発明の特徴的な部分であるスタッカ１５２の詳細については後述する。
【００２４】
フロント給紙部１６０は、手差し給紙用であり、図３に示すように、排紙口１５１におけるスタッカ１５２の上方に配設された給紙トレイ１６１を備えている。この給紙トレイ１６１は、排紙口１５１に対して水平に移動可能に設けられている。このフロント給紙部１６０で給紙される用紙は、搬送時に折り曲げることが不可能な比較的厚手の用紙（例えば、厚さ１．２ｍｍ程度のマットボード紙等）が使用される。
【００２５】
ユーザは、インクジェット式プリンタ１００の使用前においては、給紙トレイ１６１の先端を軽く押し込むことにより、給紙トレイ１６１のストッパが外れて給紙トレイ１６１が排紙口１５１から突出する。また、インクジェット式プリンタ１００の使用後においては、給紙トレイ１６１の先端を軽く押し込むことにより、給紙トレイ１６１のストッパが掛かって給紙トレイ１６１が排紙口１５１内に収納される。従って、給紙トレイ１６１の配設スペース効率を高めることができる。
【００２６】
廃インク回収部１７０は、図１〜図３に示すように、廃インク等を貯留する廃インクタンク１７１が抜き差し可能に収納されている。この廃インクタンク１７１は、記録ヘッド２０２のクリーニング処理時やインクカートリッジの交換時に廃棄される廃インク等を貯留する。ユーザは、廃インクタンク１７１に廃インク等が一杯に溜まったときは、その廃インクタンク１７１を引き出して新しい廃インクタンク１７１を差し込むのみで良いので、廃インクタンク１７１の交換作業を簡易に行うことができる。
【００２７】
用紙搬送部１８０は、図３、図４及び図５に示すように、第１リア給紙部１３０及び第２リア給紙部１４０から排紙部１５０に掛けて配設されており、自動給紙機構１８１、搬送機構１８２、排紙機構１８３を備えている。自動給紙機構１８１は、図４に示すように、第１ペーパーサポート１３２にサポートされている用紙を給送するために持ち上げるホッパ８１、このホッパ８１により持ち上げられた用紙を取り出す給紙ローラ８２、この給紙ローラ８２により重送された用紙を１枚のみに分離するリタードローラ８３、このリタードローラ８３により分離された残りの用紙をホッパ８１へ戻す紙戻しレバー８４等を備えている。
【００２８】
ホッパ８１は、用紙が載置可能な平板状に形成されて後壁と略平行に配設されており、下端が給紙ローラ８２の近傍に位置し、上端が後壁頂部に近接して位置するように配設されている。そして、ホッパ８１は、後壁に一端が取り付けられた図示しない圧縮バネの他端が下端側の裏面に取り付けられており、この圧縮バネの伸縮により上端側を中心に下端側が旋回するように配設されている。
【００２９】
給紙ローラ８２は、断面の一部が切り欠かれたＤ字状に形成されてホッパ８１の下端近傍に配設されており、間欠的に回転してホッパ８１により持ち上げられた用紙を摩擦給送するようになっている。リタードローラ８３は、給紙ローラ８２と当接可能に配設されており、給紙ローラ８２により用紙が重送されたときに最上層の用紙のみを下層の用紙から摩擦分離するようになっている。紙戻しレバー８４は、爪状に形成されて給紙ローラ８２の近傍に配設されており、リタードローラ８３により分離された下層の用紙を爪に掛けてホッパ８１へ戻すようになっている。
【００３０】
搬送機構１８２は、図４及び図５に示すように、記録動作に同期して副走査方向に用紙を送る紙送りローラ８５とその従動ローラ８６等が配設されている。紙送りローラ８５は、プラテン２０３の搬送上流側に配設されており、給紙ローラ８２により給送される用紙を従動ローラ８６と共に挟持してプラテン２０３へ送り出すようになっている。
【００３１】
排紙機構１８３は、図４及び図５に示すように、排紙ローラ８７と第１ギザローラ８８ａ及び第２ギザローラ８８ｂ等を備えている。第１ギザローラ８８ａは、プラテン２０３の搬送下流側に配設され、第２ギザローラ８８ｂと排紙ローラ８７は、第１ギザローラ８８ａの搬送下流側に対向配設されており、プラテン２０３を通過してくる用紙を先ず第１ギザローラ８８ａで排送し、続いて第２ギザローラ８８ｂと排紙ローラ８７で挟持してスタッカ１５２上へ排紙するようになっている。尚、第１ギザローラ８８ａ及び第２ギザローラ８８ｂは、図示しない同一の保持部材により保持されている。
【００３２】
制御部１９０は、図４及び図５に示すように、プリンタコントローラを構成するメイン基板１９１を備えている。このメイン基板１９１は、図示しないＣＰＵ、ＲＯＭ、ＲＡＭ、ＡＳＩＣ等の制御素子や記憶素子、及びその他の各種回路素子が装着されている。そして、プリントエンジンを構成する用紙搬送部１８０や記録部２００等を制御するようになっている。
【００３３】
記録部２００には、図４及び図５に示すように、記録動作に同期して主走査方向に移動するキャリッジ２０１、記録動作に同期してインクを吐出する記録ヘッド２０２と、記録時の用紙を平坦に保持するプラテン２０３等が配設されている。キャリッジ２０１は、図３に示すように、プラテン２０３の上方でキャリッジガイド軸２０４に貫装されてキャリッジベルト２０５に連結されており、図示しないキャリッジモータによってキャリッジベルト２０５が作動すると、キャリッジベルト２０５の動きに連行され、キャリッジガイド軸２０４に案内されて往復移動するようになっている。
【００３４】
記録ヘッド２０２は、図４及び図５に示すように、プラテン２０３と所定の間隔が空くようにしてキャリッジ２０１に搭載されており、２種類のブラック、例えばフォトブラックとマットブラックのインクと、イエロー、シアン、ライトシアン、マゼンタ、ライトマゼンタ、グレー、レッドの７色のインクをそれぞれ吐出することができる。即ち、記録ヘッド２０２は、圧力発生室とそれに繋がるノズル開口がノズルプレートに設けられており、圧力発生室内にインクを貯留して所定圧で加圧することにより、ノズル開口から用紙に向けてコントロールされた大きさのインク滴を吐出するようになっている。プラテン２０３は、紙送りローラ８５と排紙ローラ８７の間であって記録ヘッド２０２と対向するように配設されており、搬送されてくる用紙を面支持するようになっている。次に、本発明の特徴的な部分であるスタッカ１５２の詳細について、更に図を参照して説明する。
【００３５】
図６は、上記スタッカ１５２の収納状態を排紙方向上流側から見た斜視図、図７は、その側面図、図８は、上記スタッカ１５２の突出状態を排紙方向下流側から見た斜視図、図９は、その側面図である。このスタッカ１５２は、第１スタッカ５１と第２スタッカ（スタッカ本体）５２の２段構造であり、第１スタッカ５１は、第２スタッカ５２の先端側で回動軸５１ａを中心に回動可能に取り付けられ、第２スタッカ５２は、案内機構２０により第１スタッカ５１と共に排紙口１５１に対して斜め上下に平行移動して収納・引出可能なように取り付けられている。
【００３６】
第１スタッカ５１は、第２スタッカ５２の先端側で図６及び図７に示す第２スタッカ５２に対し略垂直な状態と図８及び図９に示す第２スタッカ５２に対し略水平な状態との間を回動する。即ち、図６及び図７に示すように、第２スタッカ５２が収納された状態では、第１スタッカ５１は第２スタッカ５２に対し略垂直な状態にあって排紙口１５１を閉じている。一方、図８及び図９に示すように、第２スタッカ５２が引出された状態では、第１スタッカ５１は第２スタッカ５２に対し略水平な状態にあって排紙口１５１を開いている。
【００３７】
第２スタッカ５２は、図６及び図７に示す排紙口１５１よりも奥にあるプリンタ本体内の収納位置と図８及び図９に示す排紙口１５１よりも手前にあるプリンタ本体外の引出位置との間を第１スタッカ５１と共に斜め上下に平行移動する。即ち、図６及び図７に示すように、収納位置においては、第２スタッカ５２は斜め下方に移動して記録部２００及び排紙部１５０の下方に位置する。一方、図８及び図９に示すように、引出位置においては、第２スタッカ５２は斜め上方に移動して後端が排紙口１５１に近接して位置する。
【００３８】
更に、図８及び図９に示すように、第２スタッカ５２は、第１スタッカ部５２ａと第２スタッカ部５２ｂの２段構造となっている。第１スタッカ部５２ａは、中空平板状に形成されている。第２スタッカ部５２ｂは、第１スタッカ部５２ａより支持幅が若干小さい平板状に形成されて第１スタッカ部５２ａの内部で水平にスライド自在に配設されている。
【００３９】
これにより、第２スタッカ部５２ｂは、第１スタッカ部５２ａに対し収納・引出可能である。この第２スタッカ５２は、排紙される用紙のサイズが小さいときは、第２スタッカ部５２ｂを第１スタッカ部５２ａに収納した状態で使用し、排紙される用紙のサイズが大きいときは、第２スタッカ部５２ｂを第１スタッカ部５２ａから引出した状態で使用する。尚、この第２スタッカ５２は２段構造であるので、従来の３段以上の多段構造のスタッカのようにサポート幅が極端に狭くなることは無い。
【００４０】
案内機構２０は、図７及び図９に示すように、ガイドカム（ガイド手段）２１とガイドギア２２を備えており、それらが第２スタッカ５２の両側部にそれぞれ配設されている。この案内機構２０は、スタッカ１５２の斜め上下の平行移動をスムーズに案内する機能を有している。ガイドカム２１は、２本のガイドピン２３、２４と、各ガイドピン２３、２４が挿入される２本のガイド溝２５、２６を備えており、それらが第２スタッカ５２の両側部にそれぞれ配設されている。
【００４１】
各ガイドピン２３、２４は、第２スタッカ５２の第１スタッカ部５２ａの側面後方に収納・引出方向と上下方向にずれて配設されている。即ち、ガイドピン２３は、第１スタッカ部５２ａの側面の後端部近傍に突設され、ガイドピン２４は、第１スタッカ部５２ａの側面においてガイドピン２３よりも所定距離下方であってガイドピン２３から所定距離前方に突設されている。
【００４２】
各ガイド溝２５、２６は、第１スタッカ部５２ａの両側部に沿うように配設された案内形成部材２７に形成されている。各ガイド溝２５、２６は、スタッカ１５２の収納位置を位置決めする第１端部２５ａ、２６ａと、スタッカ１５２の引出位置を位置決めする第２端部２５ｂ、２６ｂとの間を繋ぐように形成されている。即ち、各ガイド溝２５、２６は、第１端部２５ａ、２６ａから前方に向かって、略水平な水平溝２５ｃ、２６ｃと、緩やかな角度で斜め上方に傾斜した第１傾斜溝２５ｄ、２６ｄと、第１傾斜溝２５ｄ、２６ｄより若干急な角度で斜め上方に傾斜した第２傾斜溝２５ｅ、２６ｅと、第１傾斜溝２５ｄ、２６ｄより若干緩やかな角度（例えば４度）で斜め上方に傾斜した第３傾斜溝２５ｆ、２６ｆを経て第２端部２５ｂ、２６ｂに達するように形成されている。
【００４３】
そして、各ガイド溝２５、２６は、各ガイドピン２３、２４がそれぞれ挿入されて移動したときに、各ガイドピン２３、２４が同一の溝、即ち水平溝２５ｃ、２６ｃ、第１傾斜溝２５ｄ、２６ｄ、第２傾斜溝２５ｅ、２６ｅ又は第３傾斜溝２５ｆ、２６ｆを同時に通るように、収納・引出方向と上下方向にずれて配設されている。即ち、ガイド溝２５は、案内形成部材２７の側面の後端部近傍に形成され、ガイド溝２６は、溝形成部材２７の側面においてガイド溝２５よりも所定距離下方であってガイド溝２５から所定距離前方に形成されている。
【００４４】
ガイドギア２２は、ピニオンギア２８と、このピニオンギア２８と噛み合うラックギア２９を備えており、それらが第２スタッカ５２の両側部にそれぞれ配設されている。ピニオンギア２８は、ガイドピン２３を軸としてガイドピン２３に回転自在に嵌め込まれている。ラックギア２９は、ピニオンギア２８の上縁と噛み合うように案内形成部材２７に配設されている。即ち、このラックギア２９は、ガイド溝２５の上縁に沿うように配設されている。
【００４５】
図１０は、スタッカ１５２を収納・引出する際のスタッカ１５２の底面位置と各ガイド溝２５、２６における各ガイドピン２３、２４及びピニオンギア２８の位置を示す図である。各ガイドピン２３、２４及びピニオンギア２８が収納位置である各ガイド溝２５、２６の第１端部２５ａ、２６ａに位置しているときは、スタッカ１５２の底面位置Ｌ１は略水平になっている。この状態は、スタッカ１５２が引き出されて、各ガイドピン２３、２４及びピニオンギア２８が各ガイド溝２５、２６の水平溝２５ｃ、２６ｃを通る間は保たれる。
【００４６】
そして、スタッカ１５２が更に引き出されて、各ガイドピン２３、２４及びピニオンギア２８が各ガイド溝２５、２６の水平溝２５ｃ、２６ｃと第１傾斜溝２５ｄ、２６ｄの境界に達すると、スタッカ１５２の底面位置Ｌ２は前方斜め下方に若干傾斜するが略水平を保っている。この状態は底面位置Ｌ３、Ｌ４に示すように、スタッカ１５２が更に引き出されて、各ガイドピン２３、２４及びピニオンギア２８が各ガイド溝２５、２６の第１傾斜溝２５ｄ、２６ｄを通って第１傾斜溝２５ｄ、２６ｄと第２傾斜溝２５ｅ、２６ｅの境界に達するまで保たれる。このとき、スタッカ１５２は斜め上方に移動する。
【００４７】
そして、スタッカ１５２が更に引き出されて、各ガイドピン２３、２４及びピニオンギア２８が各ガイド溝２５、２６の第２傾斜溝２５ｅ、２６ｅに入ると、スタッカ１５２の底面位置Ｌ５は略水平に戻る。この状態は、スタッカ１５２が更に引き出されて、各ガイドピン２３、２４及びピニオンギア２８が各ガイド溝２５、２６の第２傾斜溝２５ｅ、２６ｅを通る間は保たれる。このとき、スタッカ１５２は更に斜め上方に移動する。
【００４８】
そして、スタッカ１５２が更に引き出されて、各ガイドピン２３、２４及びピニオンギア２８が各ガイド溝２５、２６の第２傾斜溝２５ｅ、２６ｅと第３傾斜溝２５ｆ、２６ｆの境界に達すると、スタッカ１５２の底面位置Ｌ６は前方斜め上方に若干傾斜するが略水平を保っている。この状態は底面位置Ｌ７に示すように、スタッカ１５２が更に引き出されて、各ガイドピン２３、２４及びピニオンギア２８が各ガイド溝２５、２６の第２端部２５ｂ、２６ｂに達するまで保たれる。このとき、スタッカ１５２は斜め上方に移動して引出位置に位置決めされる。尚、スタッカ１５２が引出位置から収納位置へ移動する場合も同様である。
【００４９】
このような構成において、ユーザは、インクジェット式プリンタ１００の使用前においては、第１スタッカ５１の上部に指を掛け第１スタッカ５１を手前に回動させて排紙口１５１を開ける。そして、第１スタッカ５１の先端を指で摘んで引き出して第２スタッカ５２を斜め上方へ平行移動させて突出させる。また、インクジェット式プリンタ１００の使用後においては、第１スタッカ５１の先端を手で押し込むことにより第２スタッカ５２を斜め下方へ平行移動させて収納する。そして、第１スタッカ５１に手を添えて第１スタッカ５１を後方へ回動させて排紙口１５１を塞ぐ。
【００５０】
このような構成のスタッカ１５２によれば、記録部２００及び排紙部１５０の下方に広いスペースを確保することができるので、従来のような３段以上の多段構造のスタッカとしなくても、比較的大きなサイズの用紙に見合ったサイズのスタッカ１５２とすることができ、その用紙を安定して積載することができる。また、インクジェット式プリンタ１００を使用しないときは排紙口１５１を塞ぐことができるので、プリンタ本体内への埃の侵入を防止することができる。
【００５１】
また、２本のガイドピン２３、２４を別々の２本のガイド溝２５、２６で案内して、スタッカ１５２の略水平のセット角度を大きく変化させずに収納位置と引出位置との間を移動させているので、ガイドピン２３、２４とガイド溝２５、２６の間で拗れが生じることは無く、スタッカ１５２の収納・引出においてスムーズな操作性を得ることができる。更に、ピニオンギア２８とラックギア２９により案内しており、特にピニオンギア２８がガイドピン２３に嵌め込まれているのでガイドピン２３を直接案内しているので、スタッカ１５２の収納・引出において更にスムーズな操作性を得ることができる。
【００５２】
上述したように、ユーザは、スタッカ１５２を使用する際は、第１スタッカ５１の上部に指を掛け第１スタッカ５１を手前に回動させて排紙口１５１を開ける。そして、第１スタッカ５１の先端を指で摘んで引っ張って第２スタッカ部５２ｂが収納された状態の第１スタッカ部５２ａを斜め上方へ平行移動させて突出させる。更に、第１スタッカ５１の先端を指で摘んで引っ張って第２スタッカ部５２ｂを第１スタッカ部５２ａ内から引き出して突出させる。
【００５３】
また、スタッカ１５２を使用した後は、第１スタッカ５１の先端を手で押し込むことにより第２スタッカ部５２ｂを第１スタッカ部５２ａ内へ収納する。更に、第１スタッカ５１の先端を手で押し込むことにより第２スタッカ部５２ｂが収納された状態の第１スタッカ部５２ａを斜め下方へ平行移動させて収納する。そして、第１スタッカ５１に手を添えて第１スタッカ５１を後方へ回動させて排紙口１５１を塞ぐ。このように、第１スタッカ部５２ａと第２スタッカ部５２ｂは、収納と引出の際に動作順序を逆にする必要があるため、動作規制手段３０が設けられている。
【００５４】
図１１〜図１５は、上記動作規制手段３０を説明するための図である。この動作規制手段３０は、図１１及び図１３に示す第１スタッカ部５２ａに設けられた付勢部（第１の動作規制部）３１及び後部係止部（第２の動作規制部）３２と前部係止部（第３の動作規制部）３３、図１４に示す第２スタッカ部５２ｂに設けられた突起部（第２、３の動作規制部）３４を備えている。
【００５５】
付勢部３１は、図１１に示すように、第１スタッカ部５２ａの両側部に設けられている２本のガイドピン２３、２４の間に設けられている。この付勢部３１は、ガイドピン２３側が固定端、ガイドピン２４側が自由端の片持ち梁状のアーム３１ａを備えており、固定端側は第１スタッカ部５２ａの側部に一体化され、自由端側は外側に突出する凸部３１ｂが形成されている。そして、図示左側の付勢部３１には、一端が当該凸部３１ｂの内側部に当接され、他端が第１スタッカ部５２ａの側部に当接された圧縮コイルバネ３１ｃが配設されている。この圧縮コイルバネ３１ｃは、凸部３１ｂを外側に押圧してアーム３１ａを撓ませる。
【００５６】
このような構成において、付勢部３１の凸部３１ｂは、図１２（Ａ）、（Ｂ）に示す案内形成部材２７の２本のガイド溝２５、２６の間の溝部２７ａに位置しており、第２スタッカ部５２ｂが収納状態のときの第１スタッカ部５２ａが斜め上方へ平行移動して突出した状態では、案内形成部材２７の溝部２７ａに形成されている凹部２７ｂに嵌り込むようになっている。
【００５７】
後部係止部３２及び前部係止部３３は、図１３に示すように、第１スタッカ部５２ａにおける第２スタッカ部５２ｂの収納部底面５２ａａ上の後部両側と前部両側に設けられている。尚、図では一方の後部係止部３２と前部係止部３３を示すが、他方も同様の構成である。後部係止部３２は、側面視が台形である台形柱状の２つの係止突起３２ａ、３２ｂが、第２スタッカ部５２ｂの収納・引出方向に所定間隔を空けて並設され、かつ２つの係止突起３２ａ、３２ｂを１組としたときに２組が、第２スタッカ部５２ｂの収納・引出方向と直交する方向に所定間隔を空けて並設されている。そして、前部係止部３３は、側面視が台形である台形柱状の２つの係止突起３３ａ、３３ａが第２スタッカ部５２ｂの収納・引出方向に所定間隔を空けて並設されている。
【００５８】
また、突起部３４は、図１４に示すように、第２スタッカ部５２ｂの裏面５２ｂａ上の後部両側に設けられている。突起部３４は、第２スタッカ部５２ｂの収納・引出方向と直交する方向に延びる棒状の被係止突起３４ａとして突設されている。この突起部３４を構成する被係止突起３４ａは、後部係止部３２を構成する２つの係止突起３２ａ、３２ｂの配置間隔よりも若干小さい幅であって、２組の係止突起３２ａ、３２ｂと３２ａ、３２ｂの配置間隔よりも若干大きい長さで形成されている。
【００５９】
このような構成において、突起部３４を構成する被係止突起３４ａは、図１５（Ａ）に示すように、第２スタッカ部５２ｂが収納された第１スタッカ部５２ａが、斜め上方へ平行移動して突出した状態では、後部係止部３２を構成する２つの係止突起３２ａ、３２ｂの間に嵌り込んで係止されるようになっている。一方、突起部３４を構成する被係止突起３４ａは、図１５（Ｂ）に示すように、第２スタッカ部５２ｂが第１スタッカ部５２ａから引き出されて突出した状態では、前部係止部３２を構成する２つの係止突起３２ａ、３２ａを前方側へ乗り越えて係止されるようになっている。
【００６０】
以上のような構成において、ユーザは、スタッカ１５２を使用する際は、第１スタッカ５１の先端を指で摘んで引っ張るが、このときに、第２スタッカ部５２ｂが第１スタッカ部５２ａから引き出されずに、第２スタッカ部５２ｂが収納された状態の第１スタッカ部５２ａのみを引き出すには、以下の条件が必要となる。即ち、付勢部３１の凸部３１ｂと案内形成部材２７の溝部２７ａとの間で働く摩擦力（抵抗力）が、突起部３４を構成する被係止突起３４ａと後部係止部３２を構成する係止突起３２ｂとの間で働く係合力（抵抗力）よりも小さくなるようにする。これにより、第２スタッカ部５２ｂが収納された状態の第１スタッカ部５２ａを斜め上方へ平行移動させて突出させることができる。そして、更に、第１スタッカ５１の先端を指で摘んで引っ張ることにより、第２スタッカ部５２ｂを第１スタッカ部５２ａ内から引き出して突出させることができる。
【００６１】
また、スタッカ１５２を使用した後は、第１スタッカ５１の先端を手で押し込むが、このときに、第２スタッカ部５２ｂが引き出された状態の第１スタッカ部５２ａが収納されずに、第２スタッカ部５２ｂのみを第１スタッカ部５２ａ内に収納するには、以下の条件が必要となる。即ち、付勢部３１の凸部３１ｂが案内形成部材２７の凹部２７ｂに嵌り込んでいるときの保持力が、突起部３４を構成する被係止突起３４ａと前部係止部３３を構成する係止突起３３ａとの間で働く係合力（抵抗力）よりも大きくなるようにする。これにより、第２スタッカ部５２ｂを第１スタッカ部５２ａ内へ収納することができる。そして、更に、第１スタッカ５１の先端を手で押し込むことにより第２スタッカ部５２ｂが収納された状態の第１スタッカ部５２ａを斜め下方へ平行移動させて収納することができる。以上のように、第１スタッカ部５２ａと第２スタッカ部５２ｂの収納・引出の切替えを１アクションにてできるため、操作性を向上させることができる。
【００６２】
尚、付勢部３１の凸部３１ｂが案内形成部材２７の凹部２７ｂに嵌り込んでいるときの保持力は、圧縮コイルバネ３１ｃのバネ定数、凸部３１ｂの嵌め込み深さ、または凹部２７ｂの縁部の掬い角を管理することにより、簡易に設定・変更することができる。また、突起部３４を構成する被係止突起３４ａと後部係止部３２を構成する係止突起３２ｂとの間で働く係合力（抵抗力）及び突起部３４を構成する被係止突起３４ａと前部係止部３３を構成する係止突起３３ａとの間で働く係合力（抵抗力）は、係止突起３２ｂ、３３ａの斜面の傾斜角、または係止突起３２ｂ、３３ａ、被係止突起３４ａの高さを管理することにより、簡易に設定・変更することができる。また、係止突起３２ｂ、３３ａが嵌ることが可能な窪み部を被係止突起３４ａの代わりに設け、もしくは被係止突起３４ａが嵌ることが可能な窪み部を係止突起３２ｂ、３３ａの代わりに設けるようにしても良い。
【産業上の利用可能性】
【００６３】
記録装置としてインクジェット式プリンタを例に説明したが、記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００６４】
【図１】本発明の一実施の形態に係る記録装置の１つであるインクジェット式プリンタの外観構成の全体を斜め前方から見た斜視図である。
【図２】図１のプリンタの外観構成の全体を斜め後方から見た斜視図である。
【図３】図１のプリンタの内部構成の概略を示す斜視図である。
【図４】図１のプリンタの内部構成の概略を示す第１の断面側面図である。
【図５】図１のプリンタの内部構成の概略を示す第２の断面側面図である。
【図６】図１のプリンタのスタッカの収納状態を排紙方向上流側から見た斜視図である。
【図７】図６の側面図である。
【図８】図１のプリンタのスタッカの突出状態を排紙方向下流側から見た斜視図である。
【図９】図８の側面図である。
【図１０】図６のスタッカを収納・引出する際のスタッカの底面位置と各ガイド溝における各ガイドピン及びピニオンギアの位置を示す図である。
【図１１】図６のスタッカを収納・引出する際の動作規制手段を説明するための第１の図である。
【図１２】図６のスタッカを収納・引出する際の動作規制手段を説明するための第２の図である。
【図１３】図６のスタッカを収納・引出する際の動作規制手段を説明するための第３の図である。
【図１４】図６のスタッカを収納・引出する際の動作規制手段を説明するための第４の図である。
【図１５】図６のスタッカを収納・引出する際の動作規制手段を説明するための第５の図である。
【符号の説明】
【００６５】
２０  案内機構、２１  ガイドカム、２２  ガイドギア、２３、２４  ガイドピン、２５、２６  ガイド溝、２７  案内形成部材、２７ｂ  凹部、２８  ピニオンギア、２９  ラックギア、３０  動作規制手段、３１  付勢部、３１ａ  アーム、３１ｂ  凸部、３１ｃ  圧縮コイルバネ、３２  後部係止部、３２ａ、３２ｂ  係止突起、３３  前部係止部、３３ａ  係止突起、３４  突起部、３４ａ  被係止突起、５１  第１スタッカ、５２  第２スタッカ、５２ａ  第１スタッカ部、５２ｂ  第２スタッカ部、１００  インクジェット式プリンタ、１１０  操作部、１２０  カートリッジ収納部、１３０  第１リア給紙部、１４０  第２リア給紙部、１５０  排紙部、１５１  排紙口、１５２  スタッカ、１６０  フロント給紙部、１７０  廃インク回収部、１８０  用紙搬送部、１９０  制御部、２００  記録部、２１０  プリンタカバー
【図１】
2007161481.tif 000003
【図２】
2007161481.tif 000004
【図３】
2007161481.tif 000005
【図４】
2007161481.tif 000006
【図５】
2007161481.tif 000007
【図６】
2007161481.tif 000008
【図７】
2007161481.tif 000009
【図８】
2007161481.tif 000010
【図９】
2007161481.tif 000011
【図１０】
2007161481.tif 000012
【図１１】
2007161481.tif 000013
【図１２】
2007161481.tif 000014
【図１３】
2007161481.tif 000015
【図１４】
2007161481.tif 000016
【図１５】
2007161481.tif 000017